(57)【要約】      （修正有）【課題】照明具の外部環境の明るさの状態を検出し、その検出結果に応じて回路を開閉可能なＬＥＤ誘導灯を提供する。【解決手段】ＬＥＤ誘導灯１００は、プラグ本体３１及びプラグカバーを有するプラグ受け３と、接線ケース４との間に配置される。ＬＥＤ誘導灯１００は、プラグ受け３と接線ケース４との間に配置された導光構造１と、導光構造１に嵌設され、回路基板２１及び少なくとも１つのＬＥＤランプ２２を有するＬＥＤモジュール２とを備える。かかる構成により、外部環境の明暗に応じてオン及びオフの制御をすることができる。【選択図】図１
0003163865.tif 000002
【実用新案登録請求の範囲】
【請求項１】
プラグ本体及びプラグカバーを有するプラグ受けと、接線ケースとの間にＬＥＤを埋め込み配置した誘導灯であって、
前記プラグ受けと前記接線ケースとの間に配置された導光構造と、
前記導光構造に嵌設され、回路基板及び少なくとも１つのＬＥＤランプを有するＬＥＤモジュールとを備えることを特徴とするＬＥＤ誘導灯。
【請求項２】
前記ＬＥＤモジュールは、前記回路基板に配置された外部環境の明るさの検出ユニットを有することを特徴とする請求項１に記載のＬＥＤ誘導灯。
【請求項３】
前記外部環境の明るさの検出ユニットはフォトレジスタであることを特徴とする請求項２に記載のＬＥＤ誘導灯。
【請求項４】
前記回路基板の電池接続装置に接続されるバックアップ電池をさらに備えることを特徴とする請求項２に記載のＬＥＤ誘導灯。
【請求項５】
前記導光構造は、指示標識を有することを特徴とする請求項４に記載のＬＥＤ誘導灯。
【請求項６】
スイッチ本体及びスイッチカバーを有するスイッチと、接線ケースとの間に配置されるＬＥＤ誘導灯であって、
壁面に配置される導光構造と、
前記導光構造に嵌設され、回路基板及び少なくとも１つのＬＥＤランプを有するＬＥＤモジュールと、
前記回路基板と電気的に接続されたスイッチユニットとを備えることを特徴とするＬＥＤ誘導灯。
【請求項７】
前記ＬＥＤモジュールは、前記回路基板に配置された外部環境の明るさの検出ユニットを有することを特徴とする請求項６に記載のＬＥＤ誘導灯。
【請求項８】
前記外部環境の明るさの検出ユニットはフォトレジスタであることを特徴とする請求項７に記載のＬＥＤ誘導灯。
【請求項９】
前記回路基板の電池接続装置に接続されるバックアップ電池をさらに備えることを特徴とする請求項７に記載のＬＥＤ誘導灯。
【請求項１０】
前記導光構造は、指示標識を有することを特徴とする請求項９に記載のＬＥＤ誘導灯。
【考案の詳細な説明】
【技術分野】
【０００１】
本考案は、灯具に関するものであり、さらに詳しくは、照明具の外部環境の明るさの状態を検出し、その検出結果に応じて回路を開閉可能なＬＥＤ誘導灯に関するものである。
【背景技術】
【０００２】
従来の誘導灯は、電球の下方に設けたプラグと、プラグの側部に設けたスイッチとを有する構造であるものがほとんどである。誘導灯を使用する際は、壁に設けられたプラグ受けにプラグを挿入した後、スイッチをオンすると発光する。しかし、従来の誘導灯は、プラグ受けに挿入しなければならないため、プラグ受けの周囲空間が占有され、外観が好ましくない上、スイッチを手動で操作しなければならないため、使用上不便であるという問題があった。
【考案の開示】
【考案が解決しようとする課題】
【０００３】
従って、本考案の課題は、手動でスイッチを操作しなければならなかった従来技術の不便性を解決することができるＬＥＤ誘導灯を提供することにある。
【課題を解決するための手段】
【０００４】
そこで、本考案者は、本考案の前記課題を解決するため鋭意検討を重ねた結果、照明具の外部環境の明暗に応じて、回路の開閉を制御できるようにすることにより、前記課題を解決できることに着目し、本考案に想到するに至った。
【０００５】
かくして、本考案の第１の形態によれば、プラグ本体及びプラグカバーを有するプラグ受けと、接線ケースとの間に配置されるＬＥＤ誘導灯であって、前記プラグ受けと前記接線ケースとの間に配置された導光構造と、前記導光構造に嵌設され、回路基板及び少なくとも１つのＬＥＤランプを有するＬＥＤモジュールとを備えることを特徴とするＬＥＤ誘導灯が提供される。
【０００６】
前記ＬＥＤモジュールは、前記回路基板に配置された外部環境の明るさの検出ユニットを有することが好ましい。
【０００７】
前記外部環境の明るさの検出ユニットはフォトレジスタであることが好ましい。
【０００８】
前記回路基板の電池接続装置に接続されるバックアップ電池をさらに備えることが好ましい。
【０００９】
前記導光構造は、指示標識を有することが好ましい。
【００１０】
上記課題を解決するために、本考案の第２の形態によれば、スイッチ本体及びスイッチカバーを有するスイッチと、接線ケースとの間に配置されるＬＥＤ誘導灯であって、壁面に配置される導光構造と、前記導光構造に嵌設され、回路基板及び少なくとも１つのＬＥＤランプを有するＬＥＤモジュールと、前記回路基板と電気的に接続されたスイッチユニットとを備えることを特徴とするＬＥＤ誘導灯が提供される。
【００１１】
前記ＬＥＤモジュールは、前記回路基板に配置された外部環境の明るさの検出ユニットを有することが好ましい。
【００１２】
前記外部環境の明るさの検出ユニットはフォトレジスタであることが好ましい。
【００１３】
前記回路基板の電池接続装置に接続されるバックアップ電池をさらに備えることが好ましい。
【００１４】
前記導光構造は、指示標識を有することが好ましい。
【考案の効果】
【００１５】
本考案のＬＥＤ誘導灯は、照明具の外部環境の明暗に応じてオン及びオフを制御することができるため、手動でスイッチを操作しなければならなかった従来技術の不便性を解決することができる。
【図面の簡単な説明】
【００１６】
【図１】本考案の第１実施形態によるＬＥＤ誘導灯を示す分解斜視図である。
【図２】本考案の第１実施形態によるＬＥＤ誘導灯を２方向から見たときの状態を示す斜視図である。
【図３】本考案の第１実施形態によるＬＥＤ誘導灯を使用するときの状態を示す模式図である。
【図４】本考案の第１実施形態による分離されて配置されたバックアップ電池及びＬＥＤ誘導灯の使用状態を示す模式図である。
【図５】本考案の第２実施形態によるＬＥＤ誘導灯を示す斜視図である。
【考案を実施するための最良の形態】
【００１７】
以下、本考案の実施形態について図面に基づいて説明する。なお、これらの図面によって本考案が限定されるものではない。
（第１実施形態）
図１〜図３を参照する。図１〜図３に示すように、本考案の第１実施形態によるＬＥＤ誘導灯１００は、導光構造１及びＬＥＤモジュール２を含む。導光構造１は、プラグ受け３と接線ケース４との間に配置され、ＬＥＤモジュール２からの光を案内するために用い、出口方向を表示する複数の指示標識１１を含む。ＬＥＤモジュール２は、導光構造１に嵌設され、電力が供給されて発光する。ＬＥＤモジュール２は、回路基板２１、複数のＬＥＤランプ２２、外部環境の明るさの検出ユニット２３及び電池接続装置２４を含む。回路基板２１は、ＬＥＤランプ２２へ電力を送るために用いる。ＬＥＤランプ２２は、電力が供給されて発光する。外部環境の明るさの検出ユニット２３は、外部光源の状態を検出するために用いる。電池接続装置２４は、バックアップ電池を接続するために用いる。プラグ受け３は、プラグ本体３１及びプラグカバー３２を含む。
【００１８】
本考案の第１実施形態によるＬＥＤ誘導灯１００は、実際に組み立てる際、まず、接線ケース４からプラグ受け３を一旦取り外し、接線ケース４に取り付けてから、プラグ受け３を元の場所に取り付ける。
【００１９】
本考案の第１実施形態によるＬＥＤ誘導灯を実際に使用する際は、回路基板２１に配置した外部環境の明るさの検出ユニット２３により、外部光源の状態を検出する。ＬＥＤ誘導灯１００の外部環境の明るさの検出ユニット２３は、外部光源が明るい場合、ＬＥＤランプ２２を発光させず、外部電源が暗い場合、ＬＥＤランプ２２を発光させ、導光構造１により壁面Ｗに投射する。導光構造１には、複数の指示標識１１が設けられているため、導光構造１により光線が壁面Ｗまで投射されると、図３に使用すように避難する方向を表示することができる。
【００２０】
外部環境の明るさの検出ユニット２３は、外部光源の状態を検出し、スイッチのオン及びオフを行うために用いるフォトレジスタでもよい。
【００２１】
図４を参照する。図４に示すように、本考案の第１実施形態によるＬＥＤ誘導灯は、ＬＥＤランプ２２へ電力を供給するために用いるバックアップ電池５をさらに含んでもよい。
【００２２】
図４に示すように、外部電源が停電した場合、電池接続装置２４に接続されたバックアップ電池５により電力を供給し、ＬＥＤランプ２２を発光させることができる。そのため、本実施形態のＬＥＤ誘導灯は、緊急事態（例えば、火事など）が発生した場合、ユーザが緊急避難できるように避難する方向を表示することができる。
（第２実施形態）
図５を参照する。図５に示すように、本考案の第２実施形態によるＬＥＤ誘導灯２００は、構成及び作用原理が第１実施形態と略同じであるが、接線ケース４とスイッチ６との間に配置され、外部光源の状態を検出してスイッチをオンしたりオフしたりするために用いる点で異なる。さらに、本実施形態のＬＥＤ誘導灯２００は、回路基板２１と電気的に接続され、ユーザの操作によりオンしたりオフしたりすることができるように、導光構造１の側縁にスイッチユニット７が設けられていてもよい。
【００２３】
スイッチ６は、スイッチ本体６１及びスイッチカバー６２を含む。
【００２４】
本考案の第２実施形態によるＬＥＤ誘導灯２００は、外部光源の状態を自動的に検出してスイッチをオンしたりオフしたりすることができる上、ユーザ自らがスイッチユニット７を操作し、ＬＥＤ誘導灯２００をオンしたりオフしたりすることもできる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の範囲は、このような変更や修正を含めて広く解釈されるべきである。
【符号の説明】
【００２６】
１  導光構造
２  ＬＥＤモジュール
３  プラグ受け
４  接線ケース
５  バックアップ電池
６  スイッチ
７  スイッチユニット
１１  指示標識
２１  回路基板
２２  ＬＥＤランプ
２３  外部環境の明るさの検出ユニット
２４  電池接続装置
３１  プラグ本体
３２  プラグカバー
６１  スイッチ本体
６２  スイッチカバー
１００  ＬＥＤ誘導灯
２００  ＬＥＤ誘導灯
Ｗ  壁面
【図１】
0003163865.tif 000003
【図２】
0003163865.tif 000004
【図３】
0003163865.tif 000005
【図４】
0003163865.tif 000006
【図５】
0003163865.tif 000007